(57)【要約】      （修正有）【課題】浴室内を清掃あるいは入浴しているとき、本体の吸込口から電装部品に水（水蒸気）が侵入しても故障することを防止する。【解決手段】制御部と本体吸込口２との間に水の侵入を防止する水侵入防止部材１４と、ファンの吸込口であるファン吸込口１５の下方にも水の侵入を防止する水侵入防止部を設けたという構成にしたことにより、本体吸込口２に吸い込まれた水（水蒸気）を含んだ空気が水侵入防止部材１４のケーシング側の面から水侵入防止部のファン吸込口１５に対向している面に沿ってファン吸込口１５に流れるので、浴室内を清掃あるいは入浴しているとき、本体の吸込口から水が侵入しても電装部品に水（水蒸気）がかからず故障することを防止することができる浴室換気空調装置を得られる。【選択図】図２
2014142147.tif 000002
【特許請求の範囲】
【請求項１】
裏板とケーシングを合わせた本体と、前記ケーシングの両側面の下方に開口した吸込口と、前記ケーシングの下面に開口した吹出口と、前記ケーシングの内部に両軸の電動機にファンを２個装備した送風装置と空気加熱装置と制御部と、前記送風装置と前記吹出口との風路内に前記送風装置より送られた気流の風向を制御する風向変更手段とを備え、前記制御部と前記吸込口との間に水の侵入を防止する水侵入防止部材と、前記ファンの吸込口であるファン吸込口の下方にも水の侵入を防止する水侵入防止部を設けたことを特徴とする浴室換気空調装置。
【請求項２】
水侵入防止部材を、柔軟なケーシングの内面および制御部に沿った形状としたことを特徴とする請求項１に記載の浴室換気空調装置。
【請求項３】
水侵入防止部を、板状でファン吸込口の最下端の外周からケーシングの側面の内面に向かって上方に傾けて裏板に設けたことを特徴とする請求項１に記載の浴室換気空調装置。
【発明の詳細な説明】
【技術分野】
【０００１】
本発明は、浴室に設置される壁掛け型の浴室換気空調装置に関するものである。
【背景技術】
【０００２】
従来、この種の浴室換気空調装置は、吸込み口１０１がフロントカバー１０２の上面にあり、入浴中にシャワーからの水や浴室の壁面などを清掃する場合にシャワーでよごれを洗い流す時に水が機器内に侵入し、充電部品に付着することにより、充電部品が劣化し商品が故障することがある（例えば、特開２００１−１１６４５１号公報参照）。
【０００３】
以下、その浴室換気空調装置について図６を参照しながら説明する。
【０００４】
図６に示すように、吸込み口１０１はフロントカバー１０２の上面にあり、吹出し口１０３はフロントカバー１０２の下部にある。フロントカバー１０２の内部には、モーター１０４、電装部品１０５、ヒーター１０６などが構成されている。モーター１０４や電装部品１０５、ヒーター１０６は充電部品であり、充電部品に水がかからないように保護をする必要がある。
【先行技術文献】
【特許文献】
【０００５】
【特許文献２】特開２００１−１１６４５１号公報
【発明の概要】
【発明が解決しようとする課題】
【０００６】
このような従来の浴室換気空調装置においては、浴室内を清掃あるいは入浴しているとき、本体の吸込口から電装部品に水（水蒸気）が侵入し、充電部にかかると故障するという課題を有していた。
【０００７】
そこで本発明は、上記従来の課題を解決するものであり、浴室内を清掃あるいは入浴しているとき、本体の吸込口から電装部品に水（水蒸気）が侵入しても充電部に水がかからない、故障することを防止することができる浴室換気空調装置を提供することを目的とする。
【課題を解決するための手段】
【０００８】
そして、この目的を達成するために、本発明は、裏板とケーシングを合わせた本体と、前記ケーシングの両側面の下方に開口した吸込口と、前記ケーシングの下面に開口した吹出口と、前記ケーシングの内部に両軸の電動機にファンを２個装備した送風装置と空気加熱装置と制御部と、前記送風装置と前記吹出口との風路内に前記送風装置より送られた気流の風向を制御する風向変更手段とを備え、前記制御部と前記吸込口との間に水の侵入を防止する水侵入防止部材と、前記ファンの吸込口であるファン吸込口の下方にも水の侵入を防止する水侵入防止部を設けたこととしたものであり、これにより所期の目的を達成するものである。
【発明の効果】
【０００９】
本発明によれば、裏板とケーシングを合わせた本体と、前記ケーシングの両側面の下方に開口した吸込口と、前記ケーシングの下面に開口した吹出口と、前記ケーシングの内部に両軸の電動機にファンを２個装備した送風装置と空気加熱装置と制御部と、前記送風装置と前記吹出口との風路内に前記送風装置より送られた気流の風向を制御する風向変更手段とを備え、前記制御部と前記吸込口との間に水の侵入を防止する水侵入防止部材と、前記ファンの吸込口であるファン吸込口の下方にも水の侵入を防止する水侵入防止部を設けたという構成にしたことにより、吸込口に吸い込まれた水（水蒸気）を含んだ空気が水侵入防止部材のケーシング側の面から水侵入防止部のファン吸込口に対向している面に沿ってファンの吸込口に流れることとなるので、浴室内を清掃あるいは入浴しているとき、本体の吸込口から水が侵入しても電装部品に水がかからず故障することを防止することができる、という効果を得ることができる。
【図面の簡単な説明】
【００１０】
【図１】本発明の実施の形態１の浴室換気空調装置の設置図
【図２】同本体内部の斜視図
【図３】同本体の側面断面図
【図４】同本体の内部正面図
【図５】同換気ユニットの構成を示す斜視図
【図６】従来の浴室換気空調装置の内部の構成を示す斜視図
【発明を実施するための形態】
【００１１】
本発明の請求項１記載の浴室換気空調装置は、裏板とケーシングを合わせた本体と、前記ケーシングの両側面の下方に開口した吸込口と、前記ケーシングの下面に開口した吹出口と、前記ケーシングの内部に両軸の電動機にファンを２個装備した送風装置と空気加熱装置と制御部と、前記送風装置と前記吹出口との風路内に前記送風装置より送られた気流の風向を制御する風向変更手段とを備え、前記制御部と前記吸込口との間に水の侵入を防止する水侵入防止部材と、前記ファンの吸込口であるファン吸込口の下方にも水の侵入を防止する水侵入防止部を設けた構成を有する。これにより、吸込口に吸い込まれた水（水蒸気）を含んだ空気が水侵入防止部材のケーシング側の面から水侵入防止部のファン吸込口に対向している面に沿ってファンの吸込口に流れることとなるので、浴室内を清掃あるいは入浴しているとき、本体の吸込口から水が侵入しても電装部品に水がかからず故障することを防止することができる、という効果を奏する。
【００１２】
また、水侵入防止部材を、柔軟なケーシングの内面および制御部に沿った形状にしてもよい。これにより、吸込口に吸い込まれた水（水蒸気）を含んだ空気が水侵入防止部材を制御部に沿った形状にすることができ、風路を阻害することなく、水侵入防止部材の表面を沿って、吸込口に流れる。水侵入防止材に付着した水は水侵入防止部材の表面を沿って下部に流れ落ちることとなるので、浴室内を清掃あるいは入浴しているとき、吸込口から水が侵入しても電装部品や空気加熱装置に水がかからず故障することを防止することができる、という効果を奏する。
【００１３】
また、水侵入防止部を、板状でファン吸込口の最下端の外周からケーシングの側面の内面に向かって上方に傾けて裏板に設けた構成にしてもよい。これにより、吸込口に吸い込まれた水（水蒸気）を含んだ空気が水侵入防止部材のケーシング側の面から水侵入防止部のファン吸込口に対向している面に沿ってファンの吸込口に流れる。水侵入防止部に付着した水は水侵入防止部材の吸込口側面を沿って下部に流れ落ちることとなるので、浴室内を清掃あるいは入浴しているとき、吸込口から水が侵入しても空気加熱装置に水がかからず故障することを防止することができる、という効果を奏する。
【００１４】
以下、本発明の実施の形態について図面を参照しながら説明する。
【００１５】
（実施の形態１）
図１〜図５に示すように、浴室１の浴槽側の上方の内壁の壁面に、浴室１内の空気を吸込むための本体吸込口２と、風路を形成する複数個のケーシング３（この実施の形態では２つ）と、このケーシング３の壁面側である裏側に裏板４をケーシング３と裏板４とを結合し合わせた本体５と、このケーシング３を全体を覆うフロントカバー６と、フロントカバー６の両側面の下方に開口した本体吸込口２と、ケーシング３の下方の中央の位置に開口した２つの吹出口７と、ケーシング３に両軸の電動機８（モーターで望ましくはＤＣ）にファン９（望ましくはシロッコファン）を２個装備した送風装置１０と、送風装置１０の下部に配置した空気加熱装置１１（望ましくはＰＴＣヒーター）と、空気加熱装置１１の手前側である前部に配置した制御部１２と、送風装置１０と吹出口７との風路内に送風装置１０より送られた気流の風向を制御する風向変更手段１３（詳細は図示せず）とを備え、制御部１２と本体吸込口２との間に水の侵入を防止するシート状の水侵入防止部材１４と、送風装置１０の吸込口であるファン吸込口１５の下方にも水の侵入を防止するファン吸込口１５側に向かって下方に傾斜させる樹脂の水侵入防止部１６を設け、さらに、本体５のファン９の運転の停止時には吹出口７を閉じるような形状のルーバー１７を設けた構成とする。
【００１６】
これにより、本体吸込口２に吸い込まれた浴槽あるいはシャワー等からの水（水蒸気）を含んだ空気が水侵入防止部１６の本体吸込口２側の面に沿ってファン吸込口１５に流れることとなるので、浴室１内の清掃あるいは入浴しているとき、本体吸込口２から水が侵入しても空気加熱装置１１などの充電部品に水がかからず故障することを防止することができる、という効果を奏する。
【００１７】
吹出口７も、ファン９の運転の停止中にルーバー１７を閉じる構成にしていることから、清掃時に吹出口７に水をかけられても、吹出口７からの水侵入は防止することができ、空気加熱装置１１に水がかからず故障することを防止することができる、という効果を有する。
【００１８】
また、水侵入防止部材１４を、ケーシング３の内面および制御部１２に沿った形状にした柔軟な材料にしたものが望ましい。
【００１９】
これにより、本体吸込口２に吸い込まれた水（水蒸気）を含んだ空気が水侵入防止部材１４を制御部１２に沿った形状にして風路を阻害することなく、水侵入防止部材１４の表面を沿って、ファン吸込口１５に流れることになるので、水侵入防止部材１４に付着した水は水侵入防止部材１４の表面を沿って下部に流れ落ちることとなるので、浴室１内を清掃あるいは入浴しているとき、本体吸込口２から水が侵入しても制御部１２にかからず故障することを防止することができる、という効果を奏する。
【００２０】
また、水侵入防止部１６を、板状でファン吸込口１５の最下端の外周からケーシング３の側面の内面に向かって上方に傾けて裏板４に一体に設けた構成にしてもよい。
【００２１】
これにより、本体吸込口２に吸い込まれた水（水蒸気）を含んだ空気が、水侵入防止部１６のケーシング３側の面から水侵入防止部１６の送風装置１０のファン吸込口１５に対向している面に沿って流れ、水侵入防止部１６に付着した水は水侵入防止部１６の本体吸込口２側面を沿って下部に流れ落ちることとなるので、浴室内を清掃あるいは入浴しているとき、本体吸込口２から水が侵入しても空気加熱装置１１に水がかからず故障することを防止することができる、という効果を奏する。
【００２２】
本体吸込口２から侵入するものは水以外に水蒸気であっても、上記構成を有していれば、制御部１２、空気加熱装置１１の充電部品に付着するのを防止することができる。
【００２３】
また、今回は両軸の電動機８を一例とし水侵入防止部材１４も２個、水侵入防止部１６も２個有しているが、片軸の電動機で送風装置１０を１個装備したものでも、水侵入防止部材１４も１個、水侵入防止部１６も１個を有すれば、同様の効果が言える。
【００２４】
そして、本体５を浴室１内の壁面に取り付け、その本体５の背面の浴室１の外壁の壁面１８に、浴室１と壁面１８との間をダクト１９により貫通させ、そのダクト１９内に浴室１内空気を通過させ搬送するため、換気ユニット２０の内部には、電動機（モーター）とシロッコファンで構成した換気ファン装置２１と、換気ファン装置２１の壁面１８側に向かって左下方側である下流側に桟を有した排気口２２と樹脂の板で構成した防風シャッター２３とを備えている。
【００２５】
空気加熱装置１１はＰＴＣヒーターや、ハロゲンヒーターやシーズヒーター、ニクロムヒーターなどを使用することが効果があるが、望ましくは安全性を考慮してＰＴＣヒーターを設けることが望ましい。
【００２６】
なお、水侵入防止部１６の手前側の高さは、フロントカバー６に接しない程度に設けていることで、より水の侵入を防止することができる。
【産業上の利用可能性】
【００２７】
本発明にかかる浴室換気空調装置は、吸込口から水が侵入した場合でも充電部品に水がかからないことを可能とするものであるので、浴室に使用される浴室換気空調装置等として有用である。
【符号の説明】
【００２８】
１  浴室
２  本体吸込口
３  ケーシング
４  裏板
５  本体
６  フロントカバー
７  吹出口
８  両軸の電動機
９  ファン
１０  送風装置
１１  空気加熱装置
１２  制御部
１３  風向変更手段
１４  水侵入防止部材
１５  ファン吸込口
１６  水侵入防止部
１７  ルーバー
１８  壁面
１９  ダクト
２０  換気ユニット
２１  換気ファン装置
２２  排気口
２３  防風シャッター
【図１】
2014142147.tif 000003
【図２】
2014142147.tif 000004
【図３】
2014142147.tif 000005
【図４】
2014142147.tif 000006
【図５】
2014142147.tif 000007
【図６】
2014142147.tif 000008